【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
情報処理装置と通信可能に接続されるファイル処理装置であって、
複数のファイルを記憶媒体に記憶する記憶手段と、
所定の通信インターフェースを介して前記情報処理装置と通信するための通信手段と、
前記通信手段を介した前記情報処理装置との通信におけるデータの単位であるオブジェクトを、前記記憶媒体に記憶されている複数のファイルに割り当てる制御手段と、
前記通信手段を介して前記オブジェクトを前記情報処理装置に公開する公開手段と、を有し、
前記制御手段は、前記記憶媒体に記憶されている複数のファイルのうち、所定の数のファイルごとに１つのオブジェクトであるグループオブジェクトを割り当ててグループ化することを特徴とするファイル処理装置。
【請求項２】
オブジェクトの送信要求を前記情報処理装置から受信する受信手段と、
前記受信手段によりグループオブジェクトが要求された場合、前記グループオブジェクトが割り当てられているすべてのファイルを前記情報処理装置に送信する送信手段と、を更に有することを特徴とする請求項１に記載のファイル処理装置。
【請求項３】
前記記憶手段は、前記複数のファイルを前記所定の数のファイルごとに複数のフォルダに分けて前記記憶媒体に記憶し、
前記制御手段は、前記記憶媒体に記憶された各フォルダに含まれる複数のファイルに１つのグループオブジェクトを割り当ててグループ化することを特徴とする請求項１または２に記載のファイル処理装置。
【請求項４】
前記制御手段は、前記記憶媒体に記憶されている複数のファイルのうち、前記所定の数のファイルごとに１つのオブジェクトであるグループオブジェクトを示す識別情報を割り当てることによりグループ化することを特徴とする請求項１乃至３のいずれか１項に記載のファイル処理装置。
【請求項５】
前記公開手段は、前記グループオブジェクトの識別情報を前記情報処理装置へ送信することにより、前記グループオブジェクトを前記情報処理装置に公開することを特徴とする請求項４に記載のファイル処理装置。
【請求項６】
前記識別情報は、グループオブジェクトの数、グループオブジェクトのオブジェクト名およびサイズに関する情報を含むことを特徴とする請求項４または５に記載のファイル処理装置。
【請求項７】
前記通信手段は、Ｐｉｃｔｕｒｅ  Ｔｒａｎｓｆｅｒ  Ｐｒｏｔｏｃｏｌを用いて前記情報処理装置と通信することを特徴とする請求項１乃至６のいずれか１項に記載のファイル処理装置。
【請求項８】
通信におけるデータの単位であるオブジェクトを所定の数のファイルごとに割り当てる機能を有するファイル処理装置と通信可能に接続される情報処理装置であって、
複数のファイルに割り当てられたグループオブジェクトに関する識別情報を前記ファイル処理装置から受信する第１の受信手段と、
前記グループオブジェクトを、前記識別情報に基づき前記ファイル処理装置から受信する第２の受信手段と、
前記第２の受信手段により前記ファイル処理装置から受信したグループオブジェクトのサイズを解析する解析手段と、
前記解析手段による解析の結果に基づき、前記第２の受信手段により受信したグループオブジェクトを複数のファイルに分解する分解手段と、を有することを特徴とする情報処理装置。
【請求項９】
前記識別情報は、グループの数、グループオブジェクトのファイル名およびサイズに関する情報を含むことを特徴とする請求項８に記載の情報処理装置。
【請求項１０】
前記グループオブジェクトの受信中に前記ファイル処理装置との通信が切断された場合、前記制御手段は、前記グループオブジェクトのうち、すべてのオブジェクトが揃ったグループのデータを保存することを特徴とする請求項８または９に記載の情報処理装置。
【請求項１１】
複数のファイルを記憶媒体に記憶する記憶手段を有し、情報処理装置と通信可能に接続されるファイル処理装置の制御方法であって、
前記情報処理装置との通信におけるデータの単位であるオブジェクトを、前記記憶媒体に記憶されている複数のファイルに割り当てる制御工程と、
前記オブジェクトを前記情報処理装置に公開する公開工程と、を有し、
前記制御工程では、前記記憶媒体に記憶されている複数のファイルのうち、所定の数のファイルごとに１つのオブジェクトであるグループオブジェクトを割り当ててグループ化することを特徴とするファイル処理装置の制御方法。
【請求項１２】
通信におけるデータの単位であるオブジェクトを所定の数のファイルごとに割り当てる機能を有するファイル処理装置と通信可能に接続される情報処理装置の制御方法であって、
複数のファイルに割り当てられたグループオブジェクトに関する識別情報を前記ファイル処理装置から受信する第１の受信工程と、
前記グループオブジェクトを、前記識別情報に基づき前記ファイル処理装置から受信する第２の受信工程と、
前記第２の受信工程で前記ファイル処理装置から受信したグループオブジェクトのサイズを解析する解析工程と、
前記解析工程での解析の結果に基づき、前記第２の受信工程で受信したグループオブジェクトを複数のファイルに分解する分解工程と、を有することを特徴とする情報処理装置の制御方法。
【請求項１３】
コンピュータを、請求項１乃至７のいずれか１項に記載のファイル処理装置の各手段として機能させるためのコンピュータが読み取り可能なプログラム。
【請求項１４】
コンピュータを、請求項８乃至１０のいずれか１項に記載の情報処理装置の各手段として機能させるためのコンピュータが読み取り可能なプログラム。
【手続補正２】
【補正対象書類名】明細書
【補正対象項目名】発明の名称
【補正方法】変更
【補正の内容】
【発明の名称】ファイル処理装置、情報処理装置、及びそれらの制御方法、並びにプログラム
【手続補正３】
【補正対象書類名】明細書
【補正対象項目名】０００１
【補正方法】変更
【補正の内容】
【０００１】
装置間のデータ通信技術に関する。
【手続補正４】
【補正対象書類名】明細書
【補正対象項目名】０００８
【補正方法】変更
【補正の内容】
【０００８】
本発明は、上記課題に鑑みてなされ、装置内部に大量のファイルが存在する場合であっても、ユーザに比較的軽快な操作環境を提供できる技術を実現する。
【手続補正５】
【補正対象書類名】明細書
【補正対象項目名】０００９
【補正方法】変更
【補正の内容】
【０００９】
上記課題を解決するために、本発明のファイル処理装置は、情報処理装置と通信可能に接続されるファイル処理装置であって、複数のファイルを記憶媒体に記憶する記憶手段と、所定の通信インターフェースを介して前記情報処理装置と通信するための通信手段と、前記通信手段を介した前記情報処理装置との通信におけるデータの単位であるオブジェクトを、前記記憶媒体に記憶されている複数のファイルに割り当てる制御手段と、前記通信手段を介して前記オブジェクトを前記情報処理装置に公開する公開手段と、を有し、前記制御手段は、前記記憶媒体に記憶されている複数のファイルのうち、所定の数のファイルごとに１つのオブジェクトであるグループオブジェクトを割り当ててグループ化する。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明によれば、装置内部に大量のファイルが存在する場合であっても、ユーザに比較的軽快な操作環境を提供できる。